(57)【要約】  【課題】被制御部群の各部に対する利用者による個々の操作を不要とし、それら各部が統合された高機能なシステムを安価に実現する。  【解決手段】制御信号受信用のリモコン受信部または通信インタフェースを備えた、光刺激部１、映像刺激部２、音響刺激部３、圧刺激・身体預け部４、香り刺激部５、空気調節・清浄部６の被制御部群を設けるとともに、システム制御部７を設けた。システム制御部は、制御信号送信用のリモコン送信部および通信インタフェースを介して、リラクゼーション刺激過程の場合、ベッド４１１に身体を預ける利用者をリラックス状態に導くように、被制御部群に制御信号を出力し、入眠誘導刺激過程の場合、利用者の意識を徐々に低下させ入眠に導くように、被制御部群に制御信号を出力し、起床覚醒刺激過程の場合、利用者が覚醒するように、被制御部群に制御信号を出力する。【選択図】図１
2005334283.tif 000002
【特許請求の範囲】
【請求項１】
光源と、制御信号受信用の受信手段と、この受信手段により受信された調光制御信号に従って、前記光源の調光をする光源点灯手段とを含む光刺激部と、
制御信号受信用の受信手段と、この受信手段により受信された映像再生制御信号に従って、リラクゼーションおよび起床覚醒用の映像情報を記憶する映像記憶手段から、映像情報を読み出し映像信号の再生をする一方、同受信手段により受信された映像再生停止制御信号に従って、前記映像信号の再生を停止する映像再生手段と、この映像再生手段により再生された映像信号に応じて映像を表示する映像表示手段とを含む映像刺激部と、
制御信号受信用の受信手段と、この受信手段により受信された音声再生制御信号に従って、リラクゼーションおよび起床覚醒用の音声情報を記憶する音声記憶手段から、音声情報を読み出し音声信号の再生をする一方、同受信手段により受信された音声再生停止制御信号に従って、前記音声信号の再生を停止する音声再生手段と、この音声再生手段により再生された音声信号に応じて音声を出力する音声出力手段とを含む音響刺激部と、
身体を預ける用具であって少なくとも背もたれ部が起臥自在となっている身体預け用具と、制御信号受信用の受信手段と、この受信手段により受信された起臥制御信号に従って、前記身体預け用具の少なくとも背もたれ部の起臥駆動をする起臥駆動手段とを含む身体預け部と、
制御信号受信用の受信手段と、この受信手段により受信された圧刺激制御信号に従って、前記身体預け用具に預けられた身体に対して圧刺激を加える一方、同受信手段により受信された圧刺激停止制御信号に従って、前記圧刺激を加えるのを停止する圧刺激手段とを含む圧刺激部と、
制御信号送信用の送信手段と、リラクゼーション刺激過程に入った場合には、前記身体預け用具に身体を預ける利用者をリラックス状態に導くように、前記送信手段を介して、前記光刺激部、前記映像刺激部、前記音響刺激部、前記身体預け部および前記圧刺激部の被制御部群に制御信号を出力し、入眠誘導刺激過程に入った場合には、前記利用者の意識を徐々に低下させ入眠に導くように、前記送信手段を介して、前記被制御部群に制御信号を出力し、起床覚醒刺激過程に入った場合には、前記利用者が覚醒するように、前記送信手段を介して、前記被制御部群に制御信号を出力する制御手段を含むシステム制御部と
により構成されることを特徴とする睡眠起床サポートシステム。
【請求項２】
前記システム制御部の制御手段は、
前記リラクゼーション刺激過程に入った場合には、前記送信手段を介して、前記調光制御信号として、前記光源を所定照度から徐々に減光するための信号を送信する制御と、前記映像再生制御信号として、前記リラクゼーション用の自然風景の映像の再生をするための信号を送信する制御と、前記音声再生制御信号として、前記リラクゼーション用の音楽および自然音の少なくとも一方の音声の再生を第１音量でするための信号を送信する制御と、前記起臥制御信号として、前記身体預け用具の背もたれ部を起こした状態と臥した状態との中間となるリクライニング状態にするための信号を送信する制御とを実行し、
前記リラクゼーション刺激過程後に前記入眠誘導刺激過程に入った場合には、前記送信手段を介して、前記調光制御信号として、前記利用者の呼吸を統制するリズムに合わせて前記光源の調光レベルを変動するための信号を送信する制御と、前記映像再生停止制御信号として、前記映像の再生を停止するための信号を送信する制御と、前記音声再生制御信号として、前記音声の再生を前記第１音量よりも低音量でするための信号を送信する制御と、前記起臥制御信号として、前記身体預け用具の背もたれ部を前記臥した状態にするための信号を送信する制御と、前記圧刺激制御信号として、前記圧刺激を前記利用者の身体に加えるための信号を送信する制御とを実行する一方、当該入眠誘導刺激過程の終了までに、前記送信手段を介して、前記調光制御信号として、前記光源を消灯にするための信号を送信する制御と、前記音声再生停止制御信号として、前記音声の再生を停止するための信号を送信する制御と、前記圧刺激停止制御信号として、前記圧刺激を加えるのを停止するための信号を送信する制御とを実行し、
前記入眠誘導刺激過程後に前記起床覚醒刺激過程に入った場合には、前記送信手段を介して、前記調光制御信号として、前記光源を徐々に調光上限まで増光するための信号を送信する制御と、前記映像再生制御信号として、前記起床覚醒用の自然風景の映像の再生をするための信号を送信する制御と、前記音声再生制御信号として、前記起床覚醒用の音楽および自然音の少なくとも一方の音声の再生を第２音量に徐々に上げる音量でするための信号を送信する制御と、前記起臥制御信号として、前記身体預け用具の背もたれ部を前記起こした状態にするための信号を送信する制御と、前記圧刺激制御信号として、前記圧刺激を前記利用者の身体に加えるための信号を送信する制御とを実行する
ことを特徴とする請求項１記載の睡眠起床サポートシステム。
【請求項３】
前記光刺激部は、前記光源と、前記光刺激部の受信手段と、前記光源点灯手段とにより構成される調光照明装置を含むほか、制御信号受信用の受信手段と、この受信手段により受信された開閉制御信号に従って、カーテンを開閉する電動開閉手段とにより構成されるカーテン開閉装置とを含み、
前記映像刺激部は、自己の受信手段および映像再生手段を映像機器として含み、
前記音響刺激部は、自己の受信手段および音声再生手段をオーディオ機器として含み、
前記身体預け部は、前記身体預け用具としてベッドまたは椅子を含む
ことを特徴とする請求項１または２記載の睡眠起床サポートシステム。
【請求項４】
前記システム制御部の制御手段は、
前記リラクゼーション刺激過程に入った場合には、前記送信手段を介して、前記開閉制御信号として、前記カーテンを閉めるための信号を送信する制御をさらに実行し、
前記起床覚醒刺激過程に入った場合には、前記送信手段を介して、前記開閉制御信号として、前記カーテンを開けるための信号を送信する制御をさらに実行する
ことを特徴とする請求項３記載の睡眠起床サポートシステム。
【請求項５】
前記光刺激部、前記映像刺激部および前記音響刺激部の各受信手段は、赤外線無線で制御信号を受信するリモコン受信部であり、前記身体預け部および前記圧刺激部の各受信手段は、有線で制御信号を受信する受信インタフェースであり、前記送信手段は、赤外線無線で制御信号を送信するリモコン送信部および有線で制御信号を送信する送信インタフェースであることを特徴とする請求項１から４のいずれかに記載の睡眠起床サポートシステム。
【請求項６】
前記各受信手段は、赤外線無線で制御信号を受信するリモコン受信部であり、前記送信手段は、赤外線無線で制御信号を送信するリモコン送信部であることを特徴とする請求項１から４のいずれかに記載の睡眠起床サポートシステム。
【請求項７】
請求項１から６のいずれかに記載の睡眠起床サポートシステムにおける前記システム制御部により構成されることを特徴とするシステム制御装置。
【発明の詳細な説明】
【技術分野】
【０００１】
本発明は、利用者をリラックスさせて入眠または仮眠に導き、目覚めの良い起床またはリフレッシュを可能にする睡眠起床サポートシステムおよびシステム制御装置に関するものである。
【背景技術】
【０００２】
従来、睡眠または仮眠をサポートする用具としては、快眠、リラクゼーション、癒しなどを目的としたものが各種市販されている。また、睡眠カプセルなどの特化した専用の商品も各種市販され、街中でそれを利用することができるようになっている。
【０００３】
なお、特許文献１には、ノンレム状態の判定に基づいて睡眠を促す刺激を発生し、かつその刺激の強さを変化する一方、ノンレム状態の判定に基づいて覚醒を促す刺激を発生するリラクゼーション・システムが開示されている。
【特許文献１】特開平９−６３５号公報
【発明の開示】
【発明が解決しようとする課題】
【０００４】
ところで、睡眠または仮眠は、周囲の光、音、温度などの環境のほか、身体を預けるベッドまたは椅子などの預け心地（寝心地、座り心地）などの影響を受けるため、それらを利用者に合わせることが普段の睡眠などに重要となってくる。
【０００５】
上記の快眠、リラクゼーション、癒しなどを目的とした枕、布団などの用具では、心地良さなどの一部の改善につながるものの、より良い睡眠または仮眠を確保するためには十分とは言えない。この問題を解決するため、空調機器、映像装置およびオーディオ装置などを総動員することも考えられるが、それらは被制御部群となり、それぞれを個々に操作しなければならず、普段の生活においてそのような操作をすることは現実的でない。
【０００６】
一方、上記のような睡眠カプセルでは、外界と遮断した内部空間に仮眠に良い仕組みが各種設けられていることにより、一定のリフレッシュ効果を得ることができるが、その空間内部は狭いので、本格的な睡眠に利用することは難しい。また、そのような睡眠カプセルは、高価であり、また設置場所に困るという課題がある。
【０００７】
本発明は、上記事情に鑑みてなされたものであり、被制御部群の各部に対する利用者による個々の操作を不要とすることができ、それら各部が統合された高機能なシステムを安価に実現することができる睡眠起床サポートシステムおよびシステム制御装置を提供することを目的とする。
【課題を解決するための手段】
【０００８】
上記課題を解決するための請求項１記載の発明の睡眠起床サポートシステムは、光源と、制御信号受信用の受信手段と、この受信手段により受信された調光制御信号に従って、前記光源の調光をする光源点灯手段とを含む光刺激部と、制御信号受信用の受信手段と、この受信手段により受信された映像再生制御信号に従って、リラクゼーションおよび起床覚醒用の映像情報を記憶する映像記憶手段から、映像情報を読み出し映像信号の再生をする一方、同受信手段により受信された映像再生停止制御信号に従って、前記映像信号の再生を停止する映像再生手段と、この映像再生手段により再生された映像信号に応じて映像を表示する映像表示手段とを含む映像刺激部と、制御信号受信用の受信手段と、この受信手段により受信された音声再生制御信号に従って、リラクゼーションおよび起床覚醒用の音声情報を記憶する音声記憶手段から、音声情報を読み出し音声信号の再生をする一方、同受信手段により受信された音声再生停止制御信号に従って、前記音声信号の再生を停止する音声再生手段と、この音声再生手段により再生された音声信号に応じて音声を出力する音声出力手段とを含む音響刺激部と、身体を預ける用具であって少なくとも背もたれ部が起臥自在となっている身体預け用具と、制御信号受信用の受信手段と、この受信手段により受信された起臥制御信号に従って、前記身体預け用具の少なくとも背もたれ部の起臥駆動をする起臥駆動手段とを含む身体預け部と、制御信号受信用の受信手段と、この受信手段により受信された圧刺激制御信号に従って、前記身体預け用具に預けられた身体に対して圧刺激を加える一方、同受信手段により受信された圧刺激停止制御信号に従って、前記圧刺激を加えるのを停止する圧刺激手段とを含む圧刺激部と、制御信号送信用の送信手段と、リラクゼーション刺激過程に入った場合には、前記身体預け用具に身体を預ける利用者をリラックス状態に導くように、前記送信手段を介して、前記光刺激部、前記映像刺激部、前記音響刺激部、前記身体預け部および前記圧刺激部の被制御部群に制御信号を出力し、入眠誘導刺激過程に入った場合には、前記利用者の意識を徐々に低下させ入眠に導くように、前記送信手段を介して、前記被制御部群に制御信号を出力し、起床覚醒刺激過程に入った場合には、前記利用者が覚醒するように、前記送信手段を介して、前記被制御部群に制御信号を出力する制御手段を含むシステム制御部とにより構成されることを特徴とする。
【０００９】
この構成では、被制御部群の各部が、統合されて、リラクゼーション刺激過程、入眠誘導刺激過程および起床覚醒刺激過程により自動で制御されるので、被制御部群の各部に対する利用者による個々の操作を不要とすることができるほか、被制御部群の各部として、民生機器を利用することが可能であるので、それら各部が統合された高機能なシステムを安価に実現することができる。
【００１０】
請求項２記載の発明は、請求項１記載の睡眠起床サポートシステムにおいて、前記システム制御部の制御手段は、前記リラクゼーション刺激過程に入った場合には、前記送信手段を介して、前記調光制御信号として、前記光源を所定照度から徐々に減光するための信号を送信する制御と、前記映像再生制御信号として、前記リラクゼーション用の自然風景の映像の再生をするための信号を送信する制御と、前記音声再生制御信号として、前記リラクゼーション用の音楽および自然音の少なくとも一方の音声の再生を第１音量でするための信号を送信する制御と、前記起臥制御信号として、前記身体預け用具の背もたれ部を起こした状態と臥した状態との中間となるリクライニング状態にするための信号を送信する制御とを実行し、前記リラクゼーション刺激過程後に前記入眠誘導刺激過程に入った場合には、前記送信手段を介して、前記調光制御信号として、前記利用者の呼吸を統制するリズムに合わせて前記光源の調光レベルを変動するための信号を送信する制御と、前記映像再生停止制御信号として、前記映像の再生を停止するための信号を送信する制御と、前記音声再生制御信号として、前記音声の再生を前記第１音量よりも低音量でするための信号を送信する制御と、前記起臥制御信号として、前記身体預け用具の背もたれ部を前記臥した状態にするための信号を送信する制御と、前記圧刺激制御信号として、前記圧刺激を前記利用者の身体に加えるための信号を送信する制御とを実行する一方、当該入眠誘導刺激過程の終了までに、前記送信手段を介して、前記調光制御信号として、前記光源を消灯にするための信号を送信する制御と、前記音声再生停止制御信号として、前記音声の再生を停止するための信号を送信する制御と、前記圧刺激停止制御信号として、前記圧刺激を加えるのを停止するための信号を送信する制御とを実行し、前記入眠誘導刺激過程後に前記起床覚醒刺激過程に入った場合には、前記送信手段を介して、前記調光制御信号として、前記光源を徐々に調光上限まで増光するための信号を送信する制御と、前記映像再生制御信号として、前記起床覚醒用の自然風景の映像の再生をするための信号を送信する制御と、前記音声再生制御信号として、前記起床覚醒用の音楽および自然音の少なくとも一方の音声の再生を第２音量に徐々に上げる音量でするための信号を送信する制御と、前記起臥制御信号として、前記身体預け用具の背もたれ部を前記起こした状態にするための信号を送信する制御と、前記圧刺激制御信号として、前記圧刺激を前記利用者の身体に加えるための信号を送信する制御とを実行することを特徴とする。この構成では、利用者をリラックスさせて入眠または仮眠に導き、目覚めの良い起床またはリフレッシュを可能にする効果が期待できる。
【００１１】
請求項３記載の発明は、請求項１または２記載の睡眠起床サポートシステムにおいて、前記光刺激部は、前記光源と、前記光刺激部の受信手段と、前記光源点灯手段とにより構成される調光照明装置を含むほか、制御信号受信用の受信手段と、この受信手段により受信された開閉制御信号に従って、カーテンを開閉する電動開閉手段とにより構成されるカーテン開閉装置とを含み、前記映像刺激部は、自己の受信手段および映像再生手段を映像機器として含み、前記音響刺激部は、自己の受信手段および音声再生手段をオーディオ機器として含み、前記身体預け部は、前記身体預け用具としてベッドまたは椅子を含むことを特徴とする。この構成では、身体預け用具としてベッドを含む場合には、利用者をリラックスさせて入眠に導き、目覚めの良い起床を可能にする効果が期待できるほか、身体預け用具として椅子を含む場合には、利用者をリラックスさせて仮眠させ、リフレッシュを可能にする効果が期待できる。
【００１２】
請求項４記載の発明は、請求項３記載の睡眠起床サポートシステムにおいて、前記システム制御部の制御手段は、前記リラクゼーション刺激過程に入った場合には、前記送信手段を介して、前記開閉制御信号として、前記カーテンを閉めるための信号を送信する制御をさらに実行し、前記起床覚醒刺激過程に入った場合には、前記送信手段を介して、前記開閉制御信号として、前記カーテンを開けるための信号を送信する制御をさらに実行することを特徴とする。この構成では、カーテンを開けて外光を採り込むことで、より効果の高い覚醒効果を期待できる。
【００１３】
請求項５記載の発明は、請求項１から４のいずれかに記載の睡眠起床サポートシステムにおいて、前記光刺激部、前記映像刺激部および前記音響刺激部の各受信手段は、赤外線無線で制御信号を受信するリモコン受信部であり、前記身体預け部および前記圧刺激部の各受信手段は、有線で制御信号を受信する受信インタフェースであり、前記送信手段は、赤外線無線で制御信号を送信するリモコン送信部および有線で制御信号を送信する送信インタフェースであることを特徴とする。この構成では、被制御部群の各部を民生機器で構成することが可能になる。
【００１４】
請求項６記載の発明は、請求項１から４のいずれかに記載の睡眠起床サポートシステムにおいて、前記各受信手段は、赤外線無線で制御信号を受信するリモコン受信部であり、前記送信手段は、赤外線無線で制御信号を送信するリモコン送信部であることを特徴とする。この構成では、被制御部群の各部を民生機器で構成することが可能になる。
【００１５】
請求項７記載の発明のシステム制御装置は、請求項１から６のいずれかに記載の睡眠起床サポートシステムにおける前記システム制御部により構成されることを特徴とする。この構成では、被制御部群の各部に対する利用者による個々の操作を不要とすることができ、それら各部が統合された高機能なシステムを安価に実現することができる。
【発明の効果】
【００１６】
本発明によれば、被制御部群の各部に対する利用者による個々の操作を不要とすることができ、それら各部が統合された高機能なシステムを安価に実現することができる。
【発明を実施するための最良の形態】
【００１７】
（実施形態１）
図１は本発明による実施形態１の睡眠起床サポートシステムのブロック構成図、図２は同睡眠起床サポートシステムの模式構成図、図３は同睡眠起床サポートシステムの動作説明図である。
【００１８】
本実施形態１の睡眠起床サポートシステムは、図３に示すように、光刺激、映像刺激、音響刺激、マッサージ刺激および香り刺激の各種刺激による効果に、自動起臥および空気調節・清浄による効果を統合することにより、好適に、利用者をリラックスさせて入眠に導き、目覚めの良い起床を可能にするものであり、図１，図２に示すように、光刺激部１と、映像刺激部２と、音響刺激部３と、圧刺激・身体預け部４と、香り刺激部５と、空気調節・清浄部６と、システム制御部７とを備えている。
【００１９】
光刺激部１は、室内（例えば１０畳程度の寝室）の照度を調節することにより、室内の利用者に対し必要となる光刺激を与えるものであり、調光照明装置１１と、カーテン開閉装置１２とにより構成されている。
【００２０】
調光照明装置（システム）１１は、天井面に取り付けられる天井用照明器具１１１Ａおよび壁面に取り付けられる壁面用照明器具１１１Ｂ〜１１１Ｅの各照明器具１１１と、赤外線無線で制御信号を受信するリモコン受信部１１２ａを含み、このリモコン受信部１１２ａにより受信された信号から得られる調光制御信号を、先行配線された信号線を介して各照明器具１１１に送信する調光制御盤１１２とにより構成されている。各照明器具１１１は、放電灯などの光源１１１ａと、例えばインバータなどにより構成され、調光制御盤１１２からの調光制御信号に従って、光源１１１ａの調光をする光源点灯部（放電灯点灯装置）１１１ｂとにより構成されている。調光制御盤１１２は、リモコン受信部１１２ａにより受信された信号を基に、各光源１１１ａの照度を調整するための調光制御信号を送信するものである。
【００２１】
カーテン開閉装置１２は、赤外線無線で制御信号を受信するリモコン受信部１２１と、窓Ｗに取り付けられる遮光用のカーテン１２２と、リモコン受信部１２１により受信された信号から得られる開閉制御信号に従って、カーテン１２２を開閉する電動開閉式レール１２３とにより構成されている。
【００２２】
映像刺激部２は、利用者に映像刺激を与えるものであり、赤外線無線で制御信号を受信するリモコン受信部２１および映像再生部２２などを含む映像装置と、映像表示部２３とにより構成されている。
【００２３】
上記映像装置は、例えば、再生・録画機能のうち少なくとも再生機能を有する民生用のＤＶＤ装置（ＤＶＤプレーヤ）である。この映像装置に含まれる映像再生部２２は、リモコン受信部２１により受信された信号から得られる映像再生制御信号に従って、映像記憶部２０であるＤＶＤディスクから、映像情報を読み出し映像信号の再生をする一方、リモコン受信部２１により受信された信号から得られる映像再生停止制御信号に従って、上記映像信号の再生を停止するものである。また、映像記憶部２０には、リラクゼーションおよび起床覚醒用の映像情報などが記憶（記録）されている。具体的には、リラクゼーション用の自然風景の映像情報が含まれているとともに、起床覚醒用の自然風景の映像情報が含まれている。なお、上記映像装置は、再生・録画機能を有するＤＶＤレコーダでもよいことは言うまでもない。
【００２４】
映像表示部２３は、映像再生部２２により再生された映像信号に応じて映像を表示するものであり、例えば、液晶テレビまたはプラズマテレビなどのフラット型テレビにより構成される。なお、映像表示部２３も、赤外線無線で制御信号を受信するリモコン受信部を備え、オンオフ制御信号に従ってオンオフするようになっている。
【００２５】
音響刺激部３は、利用者に音響刺激を与えるものであり、赤外線無線で制御信号を受信するリモコン受信部３１および音声再生部３２などを含むオーディオ装置と、音声出力部３３とにより構成され、映像刺激部２とともにオーディオ・ビデオシステムを構成する。
【００２６】
上記オーディオ装置は、例えば民生用のＣＤ装置（ＣＤプレーヤ）である。このオーディオ装置に含まれる音声再生部３２は、リモコン受信部３１により受信された信号から得られる音声再生制御信号に従って、ＣＤ（コンパクトディスク）である音声記憶部３０から、音声情報を読み出し音声信号の再生をする一方、リモコン受信部３１により受信された信号から得られる音声再生停止制御信号に従って、上記音声信号の再生を停止するものである。また、音声記憶部３０には、リラクゼーションおよび起床覚醒用の音声情報が記憶されている。具体的には、リラクゼーション用の音楽（例えばクラシックなどのいやし系音楽）および自然音（例えば小鳥のさえずり、風の音またはせせらぎなど）の少なくとも一方の音声情報が含まれているとともに、起床覚醒用の音楽および自然音の少なくとも一方の音声情報が含まれている。
【００２７】
音声出力部３３は、音声再生部３２により再生された音声信号に応じて音声を出力するものであり、例えば、その音声信号を音声再生制御信号により指示された音量に増幅する増幅器と、この増幅器により増幅された音声信号に応じて音声を出力するスピーカとにより構成される。これら増幅器およびスピーカは、一体でも別体でもよい（図２の例では一体のいわゆるアクティブ・スピーカ）。なお、音声出力部３３も、赤外線無線で制御信号を受信するリモコン受信部を備え、オンオフ制御信号に従ってオンオフするようになっている。
【００２８】
圧刺激・身体預け部４は、利用者の起臥をサポートするとともに、利用者にマッサージ刺激（圧刺激）を加えるものであり、有線（専用制御線）で制御信号を受信する通信インタフェース４００を備えているほか、身体預け用具としてのベッド４１１と、起臥駆動部４１２と、マッサージ機能付きのマット（エアーマッサージマット）４２１および空気圧調整枕４２２により構成される圧刺激手段としてのマッサージ部４２０とを備えている。なお、通信インタフェース４００は、送受信可能であるものでもよい。
【００２９】
ベッド４１１は、身体を預ける用具（寝具）であり、少なくとも背もたれ部（図２の例では当該ベッド４１１の上部）が起臥自在となっている。起臥駆動部４１２は、通信インタフェース４００により受信された信号から得られる起臥制御信号に従って、ベッド４１１の少なくとも背もたれ部の起臥駆動をするものである。つまり、ベッド４１１および起臥駆動部４１２は、電動リクライニング式ベッドを構成する。
【００３０】
マッサージ部４２０は、通信インタフェース４００により受信された信号から得られる圧刺激制御信号に従って、ベッド４１１に預けられた身体に対して圧刺激を加える一方、通信インタフェース４００により受信された信号から得られる圧刺激停止制御信号に従って、上記圧刺激を加えるのを停止するものである。ここで、マット４２１は、複数の独立したエアーバッグによりマッサージ機能を有する構成になっており、空気圧調整枕４２２は、硬さおよび高さを調整することができるようになっているため、圧刺激は、主としてマット４２１により加えられる。
【００３１】
なお、圧刺激・身体預け部４は、一体的に構成されているが、圧刺激部と身体預け部とに分離して構成してもよい。例えば、圧刺激部用に通信インタフェースをもう一つ設け、この通信インタフェースおよびマッサージ部４２０により圧刺激部を構成し、通信インタフェース４００、ベッド４１１および起臥駆動部４１２により身体預け部を構成してもよい。
【００３２】
香り刺激部５は、例えばラベンダーまたは柑橘系くだものなどの香り刺激を与えるものであり、赤外線無線で制御信号を受信するリモコン受信部５１と、このリモコン受信部５１により受信された信号から得られる香り発生制御信号に従って、その指示に応じた量の香りを発生する一方、リモコン受信部５１により受信された信号から得られる香り発生停止制御信号に従って、香りを発生するのを停止する香り発生装置５２とにより構成され、利用者の頭部近傍に設けられている。
【００３３】
空気調節・清浄部６は、空気調節・清浄をするものであり、民生用の空調機器６１と、民生用の空気清浄機６２とを備えている。空調機器６１は、例えば冷暖房機能を有するエアコンであり、赤外線無線で制御信号を受信するリモコン受信部６１１を含み、このリモコン受信部６１１により受信された信号から得られる空調運転制御信号に従って、室内温度が所定温度になるように空調運転をする一方、リモコン受信部６１１により受信された信号から得られる空調運転停止制御信号に従って、上記空調運転を停止するようになっている。
【００３４】
空気清浄機６２は、赤外線無線で制御信号を受信するリモコン受信部６２１を含み、このリモコン受信部６２１により受信された信号から得られる清浄運転制御信号に従って、空気清浄運転をする一方、リモコン受信部６２１により受信された信号から得られる清浄運転停止制御信号に従って、上記空気清浄運転を停止するようになっている。
【００３５】
システム制御部７は、本睡眠起床サポートシステム全般の制御などの処理を実行するものであり、赤外線無線で制御信号を送信するリモコン送信部７１と、有線で制御信号を送信する通信インタフェース７２と、タイマ７３とを備えているほか、操作部７４と、記憶部７５と、制御部７０とを備えている。
【００３６】
操作部７４は、例えば各種操作釦などにより構成され、それら各種操作釦に対する操作に応じて、時刻設定などの各種設定指示、所定の開始指示および所定の終了指示などの各種指示を入力するものである。
【００３７】
記憶部７５は、例えばＥＥＰＲＯＭなどの不揮発性の半導体記憶装置により構成され、光刺激部１、映像刺激部２、音響刺激部３、圧刺激・身体預け部４、香り刺激部５および空気調節・清浄部６の被制御部群への各制御信号に含まれる制御コードを、各種（各メーカの各種制御コード）予め記憶している。また、記憶部７５には、操作部７４により設定された起床時刻およびこれを基に設定される後述の起床覚醒刺激過程の実行時刻（例えば起床時刻の所定時間前の時刻）のうち、少なくとも起床時刻が記憶される。
【００３８】
制御部７０は、例えば、マイコンおよびこれにより実行されるプログラムなどにより構成され、操作部７４から所定の開始指示が入力されると、リラクゼーション刺激過程、入眠誘導刺激過程および起床覚醒刺激過程の各種処理を上記プログラム（複数の基本制御バリエーション（シナリオ）から選択設定された制御バリエーションの制御手順）に従って順次実行するようになっている。
【００３９】
ここで、利用者は、上記制御バリエーションを操作部７４により予め選択設定する必要があり、操作部７４に対する選択操作により、複数の基本制御バリエーションから所望の基本制御バリエーションが選択され、操作部７４に対する設定操作により、その基本制御バリエーションに所望の制御コードおよび記憶部７５に記憶された時刻情報などを組み付けることにより、選択された基本制御バリエーションが、実行用の制御バリエーションに自動修正される。これにより、利用者は、民生用の装置を睡眠起床サポートシステムの構成機器とすることができる。
【００４０】
制御部７０は、リラクゼーション刺激過程に入った場合には、ベッド４１１に身体を預ける利用者をリラックス状態に導くように、リモコン送信部７１および通信インタフェース７２を介して上記被制御部群に制御信号を出力する処理を実行する。
【００４１】
具体的には、リモコン送信部７１を介して、調光制御信号として、各光源１１１ａを所定時間、所定照度（例えば１５０[lx]程度の顔面照度）にしてから徐々に減光するための信号を送信する制御と、開閉制御信号として、カーテン１２２を閉めるための信号を送信する制御とが実行される。また、リモコン送信部７１を介して、映像再生制御信号として、映像刺激部２の各部をオンにして、リラクゼーション用の自然風景の映像の再生をするための信号を送信する制御と、音声再生制御信号として、音響刺激部３の各部をオンにして、リラクゼーション用の音楽および自然音の少なくとも一方の音声の再生を第１音量でするための信号を送信する制御とが実行される。また、リモコン送信部７１を介して、香り発生制御信号と、空調運転制御信号と、清浄運転制御信号とを送信する制御が実行される。さらに、通信インタフェース７２を介して、起臥制御信号として、ベッド４１１の背もたれ部を、起こした状態から、その状態と臥した状態との中間となるリクライニング状態（例えば４５°程度倒した状態）にするための信号を送信する制御が実行される。このリラクゼーション刺激過程は、例えば予め設定されたリラクゼーション期間実行され、このリラクゼーション期間が終了すると、自動的に入眠誘導刺激過程に移行する。
【００４２】
この入眠誘導刺激過程に入った場合には、利用者の意識を徐々に低下させ入眠に導くように、リモコン送信部７１および通信インタフェース７２を介して被制御部群に制御信号を出力する処理が実行される。
【００４３】
具体的には、リモコン送信部７１を介して、調光制御信号として、利用者の呼吸を統制するリズム（深呼吸に近い０．１Ｈｚ〜０．１７Ｈｚのリズム）に合わせて各光源１１１ａの調光レベルを上下変動するための信号を送信する制御が実行される。また、リモコン送信部７１を介して、映像再生停止制御信号として、映像の再生を停止するための信号を送信する制御と、音声再生制御信号として、音声の再生を第１音量よりも低音量でするための信号を送信する制御とが実行される。さらに、通信インタフェース７２を介して、起臥制御信号として、ベッド４１１の背もたれ部を臥した（フラット）状態にするための信号を送信する制御と、圧刺激制御信号として、圧刺激を利用者の身体に加えるための信号を送信する制御とが実行される。なお、上記映像の再生を停止するための信号は、映像刺激部２の各部をオフにする信号でもよい。また、上記調息照明用の調光制御信号は、天井用照明器具１１１Ａに対してのみ送信される構成でもよい。
【００４４】
そして、入眠誘導刺激過程の終了までに、リモコン送信部７１を介して、調光制御信号として、各光源１１１ａを消灯（または少なくとも一つの光源にあっては消灯にして豆球点灯）にするための信号を送信する制御が実行される。また、リモコン送信部７１を介して、音声再生停止制御信号として、音声の再生を停止するための信号を送信する制御が実行される。さらに、通信インタフェース７２を介して、圧刺激停止制御信号として、圧刺激を加えるのを停止するための信号を送信する制御が実行される。なお、上記音声の再生を停止するための信号は、音響刺激部３の各部をオフにする信号でもよい。
【００４５】
この入眠誘導刺激過程の終了後は、この終了時点の状態を維持する睡眠過程に入り、タイマ７３による現在時刻が起床覚醒刺激過程の実行時刻になった時点で、起床覚醒刺激過程に移行する。
【００４６】
この起床覚醒刺激過程に入った場合には、利用者が覚醒するように、リモコン送信部７１および通信インタフェース７２を介して被制御部群に制御信号を出力する処理が実行される。
【００４７】
具体的には、リモコン送信部７１を介して、調光制御信号として、各光源１１１ａを徐々に調光上限まで増光するための信号を送信する制御と、開閉制御信号として、カーテン１２２を開けるための信号を送信する制御とが実行される。
【００４８】
また、リモコン送信部７１を介して、映像再生制御信号として、リラクゼーション用とは異なる目覚めを促進するための朝をイメージした起床覚醒用の自然風景の映像の再生をするための信号を送信する制御と、音声再生制御信号として、リラクゼーション用とは異なる目覚めを促進するための朝をイメージした起床覚醒用の音楽および自然音の少なくとも一方の音声の再生を、第２音量に徐々に上げる音量で行うための信号を送信する制御とが実行される。なお、映像刺激部２の各部および音響刺激部３の各部がオフである場合には、それら各部がオンにされることは言うまでもない。
【００４９】
さらに、通信インタフェース７２を介して、起臥制御信号として、ベッド４１１の背もたれ部を例えば６０°起こした状態にするための信号を送信する制御と、圧刺激制御信号として、例えばストレッチさせる圧刺激を利用者の身体に加えるための信号を送信する制御とが実行される。
【００５０】
この起床覚醒刺激過程においては、図３の例に示すように、第１グループとして、調光制御信号が送信され、所定時間後、第２グループとして、映像再生制御信号、音声再生制御信号および圧刺激制御信号が送信され、この後、第３グループとして、開閉制御信号が送信され、この後、第４グループとして、起臥制御信号が送信されている。
【００５１】
この起床覚醒刺激過程は、起きた利用者の操作に応じて、操作部７４から所定の終了指示が入力されることにより終了し、リモコン送信部７１を介して、映像刺激部２、音響刺激部３、香り刺激部５、空気調節・清浄部６の各部をオフにする制御信号を送信する制御と、通信インタフェース７２を介して、圧刺激・身体預け部４の各部をオフにする制御信号を送信する制御とが実行される。なお、所定の終了指示に代えて、所定の起床覚醒刺激期間が経過した時点で、それら制御が実行されるようにしてもよい。
【００５２】
次に、上記構成の睡眠起床サポートシステムの動作について説明する。利用者が操作部７１に対し、例えば動作開始釦を押して所定の開始指示を入力するための操作をすれば、ベッド４１１に身体を預ける利用者をリラックス状態に導くリラクゼーション刺激過程に入る。
【００５３】
リラクゼーション刺激過程に入ると、システム制御部７から、各光源１１１ａを所定時間、所定照度にしてから徐々に減光するための調光制御信号と、カーテン１２２を閉めるための開閉制御信号と、映像刺激部２の各部をオンにして、リラクゼーション用の自然風景の映像の再生をするための映像再生制御信号と、音響刺激部３の各部をオンにして、リラクゼーション用の音楽および自然音の少なくとも一方の音声の再生をするための音声再生制御信号と、香り発生制御信号と、空調運転制御信号と、清浄運転制御信号と、ベッド４１１の背もたれ部をリクライニング状態にするための起臥制御信号とが、送信される。
【００５４】
そして、調光制御信号が調光制御盤１１２により受信されると、調光制御信号が各照明器具１１１に送信され、各照明器具１１１の光源点灯部１１１ｂがその調光制御信号に従って自己の光源１１１ａの調光をすることにより、図３に示すように、利用者は、所定時間、所定照度になってからリラクゼーション期間かけて徐々に減光する、リラックス状態に入るための光刺激を受ける。また、開閉制御信号がカーテン開閉装置１２により受信されると、電動開閉式レール１２３がその開閉制御信号に従ってカーテン１２２を閉めることにより、利用者に対し、外光ノイズの影響を排除してリラックス状態に入る体勢が整えられる。なお、カーテン１２２が既に閉まっている場合には、電動開閉式レール１２３によるカーテン１２２を閉める動作は実行されない。
【００５５】
映像再生制御信号が映像刺激部２により受信されると、映像再生部２２がリラクゼーション用の自然風景の映像の再生をし、その自然風景の映像が映像表示部２３に表示されることにより、利用者は、リラクゼーションに適した映像刺激を受ける。また、音声再生制御信号が音響刺激部３により受信されると、音声再生部３２がリラクゼーション用の音楽および自然音の少なくとも一方の音声の再生をし、所定音量で音声が音声出力部３３から出力されるので、利用者は、リラクゼーションに適した音響刺激を受ける。
【００５６】
香り発生制御信号が香り刺激部５により受信されると、香り発生装置５２がその香り発生制御信号に従って、香りを発生するので、利用者は、上記リラクゼーションの効果を高めることができる香り刺激を受ける。
【００５７】
空調運転制御信号が空調機器６１により受信されると、空調機器６１がその空調運転制御信号に従って空調運転をすることにより、リラックス状態に入るのに適した快適さを利用者に与えることができる。また、清浄運転制御信号が空気清浄機６２により受信されると、空気清浄機６２がその清浄運転制御信号に従って空気清浄運転をすることにより、リラクゼーションに適した快適さを利用者に与えることができる。
【００５８】
起臥制御信号が圧刺激・身体預け部４により受信されると、起臥駆動部４１２がその起臥制御信号に従って、ベッド４１１の少なくとも背もたれ部をリクライニング状態にすることにより、利用者は、リラックスし易くなる。このようなリラクゼーション刺激過程の統合的な効果により、利用者を好適にリラックス状態に導くことができる。
【００５９】
この後、入眠誘導刺激過程に入ると、システム制御部７から、利用者の呼吸を統制するリズムに合わせて各光源１１１ａの調光レベルを上下変動するための調光制御信号と、映像の再生を停止するための映像再生停止制御信号と、音量を落として音声の再生をするため音声再生制御信号と、ベッド４１１の背もたれ部を臥した状態にするための起臥制御信号と、圧刺激を利用者の身体に加えるための圧刺激制御信号とが、送信される。
【００６０】
そして、調光制御信号が調光制御盤１１２により受信されると、調光制御信号が各照明器具１１１に送信され、各照明器具１１１の光源点灯部１１１ｂがその調光制御信号に従って自己の光源１１１ａの調光をすることにより、利用者は、入眠状態に導かれる光刺激を受け、各光源１１１ａの明暗変動のリズムに呼吸を合わせながら睡眠状態に入ることができるようになる。
【００６１】
映像再生停止制御信号が映像刺激部２により受信されると、映像再生部２２が映像の再生を停止し、映像が映像表示部２３に表示されなくなることにより、利用者に対して、睡眠状態に入る体勢が整えられる。また、音声再生制御信号が音響刺激部３により受信されると、音声再生部３２が音量を落として音声の再生をすることにより、利用者は、睡眠状態に入り易くなる。
【００６２】
起臥制御信号および圧刺激制御信号が圧刺激・身体預け部４により受信されると、起臥駆動部４１２がその起臥制御信号に従ってベッド４１１の少なくとも背もたれ部を臥した状態にするとともに、マッサージ部４２０がその圧刺激制御信号に従って圧刺激を利用者の身体に加えることにより、利用者は、睡眠の体勢に整えられ、マッサージを受けながら睡眠状態に入ることができる。なお、マッサージは、例えば、利用者の腰や首などのくぼんでいる部分の隙間をマット４２１などで埋めるよう支え、ひねりと伸ばしを作用させることにより、利用者の全身に施される。
【００６３】
この後、入眠誘導刺激過程の終了まで（例えば入眠誘導刺激過程の開始時点から所定時間後）に、システム制御部７から、各光源１１１ａを消灯にするための調光制御信号と、音声の再生を停止するための音声再生停止制御信号と、圧刺激を加えるのを停止するための圧刺激停止制御信号とが、送信される。
【００６４】
そして、調光制御信号が調光制御盤１１２により受信されると、調光制御信号が各照明器具１１１に送信され、各照明器具１１１の光源点灯部１１１ｂがその調光制御信号に従って自己の光源１１１ａを消灯にする。音声再生停止制御信号が音響刺激部３により受信されると、音声再生部３２が音声の再生を停止する。圧刺激停止制御信号が圧刺激・身体預け部４により受信されると、マッサージ部４２０がその圧刺激制御信号に従ってマッサージを停止する。これにより、利用者の睡眠状態が確保される。
【００６５】
この後、起床覚醒刺激過程に入ると、システム制御部７から、各光源１１１ａを徐々に調光上限まで増光するための調光制御信号が送信され、続いて、起床覚醒用の自然風景の映像の再生をするための映像再生制御信号と、起床覚醒用の音楽および自然音の少なくとも一方の音声の再生をするための音声再生制御信号と、圧刺激を利用者の身体に加えるための圧刺激制御信号とが、送信され、続いて、カーテン１２２を開けるための開閉制御信号が送信され、続いて、ベッド４１１の背もたれ部を例えば６０°起こした状態にするための起臥制御信号が送信される。なお、上記増光用の調光制御信号は、天井用照明器具１１１Ａに対してのみ送信される構成でもよい。
【００６６】
調光制御信号が調光制御盤１１２により受信されると、調光制御信号が各照明器具１１１に送信され、各照明器具１１１の光源点灯部１１１ｂがその調光制御信号に従って自己の光源１１１ａの調光をすることにより、利用者は、徐々に調光上限まで増光する起床覚醒状態になるための光刺激を受ける。
【００６７】
続いて、映像再生制御信号が映像刺激部２により受信されると、映像再生部２２が起床覚醒用の自然風景の映像の再生をし、その自然風景の映像が映像表示部２３に表示されることにより、利用者は、起床覚醒に適した映像刺激を受ける。音声再生制御信号が音響刺激部３により受信されると、音声再生部３２が起床覚醒用の音楽および自然音の少なくとも一方の音声の再生をし、所定音量で音声が音声出力部３３から出力されるので、利用者は、起床覚醒に適した音響刺激を受ける。圧刺激制御信号が圧刺激・身体預け部４により受信されると、マッサージ部４２０がその圧刺激制御信号に従って圧刺激を利用者の身体に加えることにより、利用者は、起床覚醒に適した圧刺激を受ける。
【００６８】
続いて（利用者の覚醒度が向上した頃）、開閉制御信号がカーテン開閉装置１２により受信されると、電動開閉式レール１２３がその開閉制御信号に従ってカーテン１２２を開けることにより、利用者は、例えば約２５００[lx]以上の顔面照度になる朝日の光刺激を受け、起床覚醒に至る。このとき、体内メラトニンの消失が補助される。
【００６９】
続いて、起臥制御信号が圧刺激・身体預け部４により受信されると、起臥駆動部４１２がその起臥制御信号に従ってベッド４１１の少なくとも背もたれ部を例えば６０°起こした状態にすることにより、利用者は、起床の体勢に整えられる。これにより、利用者は、覚醒した状態で、しかも楽に起床することができる。
【００７０】
この後の起床覚醒刺激過程の終了時には、システム制御部７から、映像刺激部２、音響刺激部３、圧刺激・身体預け部４、香り刺激部５、空気調節・清浄部６の各部をオフにする制御信号が送信され、それら各部がオフになる。
【００７１】
以上、本実施形態１によれば、被制御部群の各部が、統合されて、リラクゼーション刺激過程、入眠誘導刺激過程および起床覚醒刺激過程により自動で制御されるので、被制御部群の各部に対する利用者による個々の操作を不要とすることができるほか、被制御部群の各部として、リモコン対応の民生機器を利用することが可能であるので、それら各部が統合された高機能なシステムを安価に実現することができる。
【００７２】
また、利用者をリラックスさせて入眠に導き、目覚めの良い起床を可能にする効果を期待できる。
【００７３】
なお、実施形態１では、映像刺激部２に映像装置（ＤＶＤプレーヤ）を含み、音響刺激部３にオーディオ装置（ＣＤプレーヤ）を含む構成になっているが、ＤＶＤプレーヤは、映像・音声情報を読み出し映像・音声信号の再生をするものであるので、音響刺激部３のＣＤプレーヤに代えて、映像刺激部２のＤＶＤプレーヤ（ＤＶＤレコーダ）を兼用する構成でもよい。この構成の場合、リモコン受信部２１により受信された信号から得られる映像・音声再生制御信号に従って、映像記憶部２０から映像・音声情報を読み出し映像・音声信号の再生をする一方、リモコン受信部２１により受信された信号から得られる映像再生停止制御信号に従って、上記映像・音声信号の再生を停止するようにすればよい。そして、映像のみを停止する場合には、例えば映像表示部２３をオフにすればよい。
【００７４】
また、実施形態１の変形例として、ＤＶＤプレーヤ（ＤＶＤレコーダ）またはＣＤプレーヤに代えて、ハードディスク装置を備える構成でもよい。
【００７５】
さらに、圧刺激部および身体預け部を一体的に構成した圧刺激・身体預け部４は、有線で制御信号を受信する通信インタフェース４００を備える構成になっているが、圧刺激・身体預け部（または圧刺激部および身体預け部）は、赤外線無線で制御信号を受信するリモコン受信部を備える構成でもよい。
【００７６】
（実施形態２）
図４は本発明による実施形態２の睡眠起床サポートシステムの模式構成図である。
【００７７】
本実施形態２の睡眠起床サポートシステムは、実施形態１との相違点として、身体預け用具として、背もたれ部および足載せ部（フットレスト）が起臥自在となっている椅子４１１Ａを備えていることを特徴とする。
【００７８】
椅子４１１Ａの背もたれ部および足載せ部は、起臥駆動部４１２により、例えばベッド４１１とほぼ同様に変化するように起臥駆動される。また、椅子４１１Ａには、通信インタフェース４００により受信された信号から得られる圧刺激制御信号に従って、椅子４１１Ａに預けられた身体に対して圧刺激（全身マッサージ、ストレッチ（背筋のばし）などの圧刺激）を加える一方、通信インタフェース４００により受信された信号から得られる圧刺激停止制御信号に従って、上記圧刺激を加えるのを停止するマッサージ部が内蔵されている。要するに、椅子４１１Ａ、起臥駆動部４１２およびマッサージ部は、電動リクライニング機能を有するマッサージチェアを構成している。
【００７９】
このような構成の本実施形態２によれば、例えば、昼間の仮眠に使用することで、利用者をリラックスさせて仮眠に導き、リフレッシュを可能にする効果を期待できる。
【図面の簡単な説明】
【００８０】
【図１】本発明による実施形態１の睡眠起床サポートシステムのブロック構成図である。
【図２】同睡眠起床サポートシステムの模式構成図である。
【図３】同睡眠起床サポートシステムの動作説明図である。
【図４】本発明による実施形態２の睡眠起床サポートシステムの模式構成図である。
【符号の説明】
【００８１】
１  光刺激部
２  映像刺激部
３  音響刺激部
４  圧刺激・身体預け部
５  香り刺激部
６  空気調節・清浄部
７  システム制御部
【図１】
2005334283.tif 000003
【図２】
2005334283.tif 000004
【図３】
2005334283.tif 000005
【図４】
2005334283.tif 000006